(57)【要約】【課題】  パスタサーバーとしての機能を有し、乾麺を人数分測量できる乾麺測量具を提供する。【解決手段】  乾麺を人数分測量する乾麺測量具であって、この乾麺測量具は、掬い部と、この掬い部から延在する柄部と、この乾麺測量具の周縁に設けられた測量部とから構成され、この掬い部には麺を掬うための櫛が設けられ、この測量部は外方に測定開口部を有する測量壁に囲まれた測量空間を有することを特徴とする乾麺測量具。【選択図】図４
2019126483.tif 000002
【特許請求の範囲】
【請求項１】
乾麺を人数分測量する乾麺測量具であって、この乾麺測量具は、掬い部と、この掬い部から延在する柄部と、この乾麺測量具の周縁に設けられた測量部とから構成され、この掬い部には麺を掬うための櫛が設けられ、この測量部は外方に測定開口部を有する測量壁に囲まれた測量空間を有することを特徴とする乾麺測量具。
【請求項２】
請求項１の乾麺測量具の測量部は、掬い部の先端部に設けられたことを特徴とする乾麺測量具。
【請求項３】
請求項１の乾麺測量具の測量部は、乾麺測量具の側方に設けられたことを特徴とする乾麺測量具。
【請求項４】
請求項１の乾麺測量具の測量部は、二股になった乾麺測量具の両側に渡って対にして設けられたことを特徴とする乾麺測量具。
【発明の詳細な説明】
【技術分野】
【０００１】
この発明は、スパゲッティ等の乾麺を人数分測量する乾麺測量具に関する。
【背景技術】
【０００２】
従来、スパゲッティ等の乾麺は人数分を測量するのに、質量を測る計量計が用いられたが、計量計は嵩張るため、簡易な測量具が求められてきた。この為、特許文献１に示すような、乾麺測量具が提案されてきた。この乾麺測量具は、人数分の乾麺が貫通する孔が設けられたものである。
【先行技術文献】
【特許文献】
【０００３】
【特許文献１】実用新案登録第３１４６３６３
【発明の概要】
【発明が解決しようとする課題】
【０００４】
しかしながら、乾麺はきれいに揃えないと、この明細書の図６に示すように端面が拡がってしまい、孔に挿入し難いという問題があった。また、目分量で乾麺を掴み、孔に挿入しようとすると、過不足が生じるため、幾度か継ぎ足したり、減らしたりしなければならなかった。この図６に示すように、片手で乾麺測量具を持ち、もう一方の手で乾麺を掴むと両手が塞がってしまい、この作業が困難で、乾麺を折ったり、散らかしたりする問題も有った。
【０００５】
また、従来の乾麺測量具は独立した器具となっており、乾麺を測量するためだけに余分な器具が必要であった。近年、台所用の器具が多く販売されており、台所に色々な器具があふれて収納場所に困る現状があるので、出来るだけ器具を増やしたくない要望があった。
【課題を解決するための手段】
【０００６】
乾麺を人数分測量する乾麺測量具であって、この乾麺測量具は、掬い部と、この掬い部から延在する柄部と、この乾麺測量具の周縁に設けられた測量部とから構成され、この掬い部には麺を掬うための櫛が設けられ、この測量部は外方に測定開口部を有する測量壁に囲まれた測量空間を有することを特徴とする乾麺測量具。
【発明の効果】
【０００７】
上記の問題点を解決し、パスタサーバーとしての機能を有する乾麺測量具を提供することができる。
【図面の簡単な説明】
【０００８】
【図１】第一の実施例の乾麺測量具を示す平面図である。
【図２】第一の実施例の乾麺測量具を示す左側面図と右側面図である。
【図３】第一の実施例の乾麺測量具を示す正面図と底面図である。背面図は正面図と対称に表れる。
【図４】第一の実施例の乾麺測量具の使用状態を示す左側面図、平面図、正面図である。右側面図は左側面図と対称に表れる。背面図は正面図と対称に表れる。
【図５】第二の実施例の乾麺測量具を示す左側面図、平面図、正面図、右側面図である。背面図は正面図と対称に表れる。
【図６】従来技術を示す斜視図である。
【図７】第三の実施例の乾麺測量具を示す左側面図である。
【図８】第四の実施例の乾麺測量具を示す平面図である。
【図９】第五の実施例の乾麺測量具を示す正面図、平面図である。
【図１０】第五の実施例の乾麺測量具の使用状態を示す正面図、平面図である。
【図１１】第五の実施例の乾麺測量具を示す正面図、平面図、底面図、左側面図、右側面図である。背面図は正面図と対称に表れる。
【発明を実施するための形態】
【０００９】
乾麺を人数分測量する乾麺測量具であって、この乾麺測量具は、掬い部と、この掬い部から延在する柄部と、この乾麺測量具の周縁に設けられた測量部とから構成され、この掬い部には麺を掬うための櫛が設けられ、この測量部は外方に測定開口部を有する測量壁に囲まれた測量空間を有することを特徴とする乾麺測量具。
【００１０】
上記の乾麺測量具の測量部は、掬い部の先端部に設けられたことを特徴とする乾麺測量具。
上記の乾麺測量具の測量部は、乾麺測量具の側方に設けられたことを特徴とする乾麺測量具。
上記の乾麺測量具の測量部は、二股になった乾麺測量具の両側に渡って対にして設けられたことを特徴とする乾麺測量具。
【実施例】
【００１１】
図１、図２、図３により、第一の実施例の乾麺測量具を説明する。乾麺を人数分測量する乾麺測量具１０は、掬い部２０と、掬い部２０から延在する細長い柄部３０と測量部２２とから構成されている。乾麺測量具１０は、プラスチック又は金属板で一体成型あるいはこれらの組み合わせで製造されているが、木製や竹製でも可能である。
【００１２】
掬い部２０には麺を引っ掛けて掬うための櫛２１が設けられ、掬い部２０の先端には測量部２２が設けられている。測量部２２は、Ｕ字状の測量壁２３と、測量壁２３に囲まれた測量空間２４とによって構成されている。測量空間２４は測量開口部２５により外側に開放されている。測量壁２３には、一人分、二人分の乾麺の量を測る測量メモリ２６が記されている。対になった測量メモリ２６は、乾麺測量具１０を水平な調理台に置いた場合、水平になるようにしてある。
【００１３】
図４のように、使用にあたっては、乾麺測量具１０はテーブルや調理台の上に置き、乾麺４０を目分量だけ挿入する。過不足があれば、継足したり、減らしたりして測量メモリ２６に合わせる。測量壁２３の底面は中央に向かって傾斜しているので、乾麺４０を測量部２２に落とし込むと重力で乾麺４０は中央に寄りながら整列する。このようにして、従来技術のように乾麺４０を孔に挿入し難い問題は解決される。また、両手は空いているので、過不足分も片手で容易に調整することができる。
【００１４】
この乾麺測量具４０は、既存のパスタサーバーに工夫を加えて、パスタサーバーと測量具を兼用しているので、余分な器具を増やす必要がない利点がある。また、パスタサーバーが手元にあれば、従来のように乾麺測量具が紛失して、探し回ったりする必要がないという利点もある。
【００１５】
図５の第二の実施例の乾麺測量具１０では、測量部２２を横方向に対になるように設けたものである。乾麺４０を両方向から挿入、取り出しできる利点がある。
【００１６】
図７は第三の実施例の乾麺測量具１０であり、測量壁２３を開口部側に向かって拡がるようにしたものである。乾麺４０を挿入し易い利点がある。
【００１７】
図８は第四の実施例の乾麺測量具１０であり、測量部２２を柄部３０の横に設けたものである。掬い部２０に変更を与える必要がない利点がある。
【００１８】
図９、図１０、図１１は第五の実施例の乾麺測量具１０であり、掬い部２０、柄部３０は二股になったトングになっており、パスタトングとして、パスタなどを掴むのに便利である。
【産業上の利用可能性】
【００１９】
この発明は、スパゲッティ等乾麺を人数分測量するための乾麺測量具に利用が可能である。
【符号の説明】
【００２０】
１０はスパゲッティ測量具
２０は掬い部
２１は櫛部
２２は測量部
２３は測量壁
２４は測量空間
２５は測量開口部
２６は測量メモリ
３０は柄部
４０はスパゲッティ
【図１】
2019126483.tif 000003
【図２】
2019126483.tif 000004
【図３】
2019126483.tif 000005
【図４】
2019126483.tif 000006
【図５】
2019126483.tif 000007
【図６】
2019126483.tif 000008
【図７】
2019126483.tif 000009
【図８】
2019126483.tif 000010
【図９】
2019126483.tif 000011
【図１０】
2019126483.tif 000012
【図１１】
2019126483.tif 000013